(57)【要約】  表示体は、第１情報を表示する第１表示部と、第１情報よりも表示サイズが大きい第２情報を表示する第２表示部と、を備える。第２表示部が、第２表示部の一部として第１表示部の全体を含む。第１表示部はプラズモン構造体を含み、プラズモン構造体は、金属層と光を透過する誘電体層との界面を含み、界面に表面プラズモンを励起して、界面に照射される照射光を照射光とは異なる色の透過光に変えて、透過光によって第１情報を表示するように構成される。
2015147283.tif 000002
【特許請求の範囲】
【請求項１】
第１情報を表示する第１表示部と、
前記第１情報よりも表示サイズが大きい第２情報を表示する第２表示部と、を備え、
前記第２表示部が、前記第２表示部の一部として前記第１表示部の全体を含み、
前記第１表示部はプラズモン構造体を含み、
前記プラズモン構造体は、金属層と光を透過する誘電体層との界面を含み、前記界面に表面プラズモンを励起して、前記界面に照射される照射光を前記照射光とは異なる色の透過光に変えて、前記透過光によって前記第１情報を表示するように構成される
表示体。
【請求項２】
前記第１情報は複数の情報要素を備え、前記複数の情報要素は、第１の色を表現する第１情報要素と、第２の色を表現する第２情報要素とを含み、
前記第１表示部は複数の表示要素を備え、前記複数の表示要素の各々が１つの前記情報要素に対応する
請求項１に記載の表示体。
【請求項３】
少なくとも１つの前記表示要素は、前記照射光を相互に異なる色の前記透過光に変える複数の前記プラズモン構造体を含む
請求項２に記載の表示体。
【請求項４】
前記誘電体層は、ベース面と、前記ベース面から突き出た複数の凸部とを有し、
前記ベース面と、複数の前記凸部の頂面を含む仮想平面とが、相互にほぼ平行であり、
前記金属層は、前記誘電体層の少なくとも一部を覆っている
請求項１から３のいずれか一項に記載の表示体。
【請求項５】
前記誘電体層において、前記ベース面と前記仮想平面との間の距離が、３０ｎｍ以上５００ｎｍ以下である
請求項４に記載の表示体。
【請求項６】
前記金属層の厚さが、２０ｎｍ以上１００ｎｍ以下であり、
前記金属層の形成材料において、可視光領域における複素誘電率の実部が負の値である
請求項４または５に記載の表示体。
【請求項７】
前記金属層のうち、前記頂面に位置する部分は、前記頂面に沿って拡がる平坦部と、前記平坦部の周囲に設けられ、前記平坦部の外側に向けて突き出た曲面形状を有する周面と、を備え、
前記金属層のうち、前記ベース面に位置する部分は、相互に隣り合う前記凸部によって挟まれる領域のほぼ中心において最も突き出た凸形状を有する
請求項４から６いずれか１項に記載の表示体。
【請求項８】
前記凸部の各々は、前記頂面と前記ベース面とを繋ぐ側面を備え、
前記金属層は、前記ベース面と、前記凸部の各々における前記頂面とを覆い、かつ、前記側面の少なくとも一部を覆っている
請求項４から７のいずれか１項に記載の表示体。
【請求項９】
前記金属層において、前記側面を覆う部分の厚さが、前記頂面を覆う部分の厚さ、および、前記ベース面を覆う部分の厚さよりも小さい
請求項８に記載の表示体。
【請求項１０】
前記複数の凸部は、前記ベース面において三方格子状、四方格子状、および、六方格子状のいずれかの状態で並び、
前記ベース面と対向する平面視において、相互に隣り合う前記凸部における前記凸部の中心の間の距離は、１００ｎｍ以上６００ｎｍ以下である
請求項４から９のいずれか一項に記載の表示体。
【請求項１１】
前記複数の凸部は、前記ベース面において不規則に並んでいる
請求項４から９のいずれか一項に記載の表示体。
【請求項１２】
前記第１表示部は複数の表示要素を含み、
前記複数の表示要素の各々は、少なくとも１つの前記凸部を含む前記誘電体層の一部によって構成され、
前記複数の表示要素の少なくとも一部において、前記ベース面と対向する平面視における前記凸部の間での中心間距離、前記ベース面と前記仮想平面との間の距離、前記凸部の配列状態、前記金属層の厚さ、および、前記金属層の形成材料のうち、少なくとも１つが相互に異なっている
請求項４に記載の表示体。
【請求項１３】
前記表示要素の各々は多角形形状の領域を区画し、
前記多角形形状の領域における一辺の長さが、２００ｎｍ以上３０００ｎｍ以下である
請求項１２に記載の表示体。
【請求項１４】
前記複数の表示要素はマトリクス状に並び、
前記複数の表示要素は、行方向および前記行方向と直交する列方向の各々に、１０個以上１００個以下の個数並ぶ
請求項１２または１３に記載の表示体。
【請求項１５】
表示体の観察方法であって、
前記表示体は、
第１情報を表示する第１表示部と、
前記第１情報よりも表示サイズが大きい第２情報を表示する第２表示部と、を備え、
前記第２表示部が、前記第２表示部の一部として前記第１表示部の全体を含み、
前記第１表示部はプラズモン構造体を含み、
前記プラズモン構造体は、金属層と光を透過する誘電体層との界面を含み、前記界面に表面プラズモンを励起して、前記界面に照射される照射光を前記照射光とは異なる色の透過光に変えて、前記透過光によって前記第１情報を表示するように構成され、
前記表示体の前記界面に前記照射光を照射する工程と、
前記照射光を照射されている前記表示体を拡大して観察する工程と、を備える
表示体の観察方法。
【発明の詳細な説明】
【技術分野】
【０００１】
本開示の技術は、表面プラズモンを用いた表示体、および、表示体の観察方法に関する。
【背景技術】
【０００２】
有価証券、証明書、ブランド品、高価格品、電子機器、および、個人認証媒体などの物品には、その物品の有する価値や情報を他者から保護するために、偽造が難しいことが望まれる。そのため、こうした物品には、偽造の難しい表示体が付されることがある。【０００３】
偽造の難しい表示体として、回折格子によって形成される複数のセルを用いて画像情報を表示する表示体が知られている。こうした表示体では、複数のセルのうち、特定のセルの内部に、２値以上のビットマップパターンに対応する微小画像であって、顕微鏡を用いて観察することのできる微小画像を有する表示体も知られている。（例えば、特許文献１参照）。
【先行技術文献】
【特許文献】
【０００４】
【特許文献１】特開２００８−８３２２６号公報
【発明の概要】
【発明が解決しようとする課題】
【０００５】
ところで、２値以上のビットマップパターンに対応する微小画像は、２つ以上の高低差によって画像を表示する。そのため、例えば、微小画像を構成する高低差と同じ程度の大きさを有するごみや汚れなどが微小画像の一部に重なったときには、表示体の観察者が、ゴミや汚れを微小画像の一部として誤認識する可能性もある。【０００６】
本開示の技術は、観察者による情報の誤認識を抑えることのできる表示体、および、表示体の観察方法を提供することを目的とする。
【課題を解決するための手段】
【０００７】
本開示の技術における表示体の一態様は、第１情報を表示する第１表示部と、前記第１情報よりも表示サイズが大きい第２情報を表示する第２表示部と、を備える。前記第２表示部が、前記第２表示部の一部として前記第１表示部の全体を含み、前記第１表示部は、プラズモン構造体を含む。プラズモン構造体は、金属層と光を透過する誘電体層との界面を含み、前記界面に表面プラズモンを励起して、前記界面に照射される照射光を前記照射光とは異なる色の透過光に変えて、前記透過光によって前記第１情報を表示するように構成される。【０００８】
本開示の技術における表示体の観察方法の一態様において、前記表示体は、第１情報を表示する第１表示部と、前記第１情報よりも表示サイズが大きい第２情報を表示する第２表示部と、を備える。前記第２表示部が、前記第２表示部の一部として前記第１表示部の全体を含み、前記第１表示部は、プラズモン構造体を含む。プラズモン構造体は、金属層と光を透過する誘電体層との界面を含み、前記界面に表面プラズモンを励起して、前記界面に照射される照射光を前記照射光とは異なる色の透過光に変えて、前記透過光によって前記第１情報を表示するように構成される。そして、前記表示体の前記界面に前記照射光を照射する工程と、前記照射光を照射されている前記表示体を拡大して観察する工程と、を備える。【０００９】
本開示の技術における表示体の一態様によれば、第２表示部に含まれる第１表示部は、所定の色を有する透過光によって第１情報を表示するため、表示体の観察者は、所定の色を有した光と、それ以外の部分との差異によって、第１情報を把握することができる。それゆえに、第１情報である部分と、それ以外の部分との差異が認識されやすくなる。結果として、観察者が情報を誤認識することが抑えられる。
【図面の簡単な説明】
【００１０】
【図１】（ａ）本開示の表示体を具体化した１つの実施形態における表示体の概略構成を示す図であり、（ｂ）表示体の一部を拡大して示す部分拡大図である。
【図２】表示体の備える微小表示部を拡大して示す図である。
【図３】微小表示部の一部断面構造を示す部分断面図である。
【図４】微小表示部の備える誘電体層の一部斜視構造を示す部分斜視図である。
【図５】誘電体層を上面視した構造を示す上面図である。
【図６】表示体の観察方法を説明するためのフローチャートである。
【図７】表示体の観察方法の作用を模式的に示す図である。
【図８】変形例における微小表示部の一部断面構造を示す部分断面図である。
【図９】変形例における微小表示部の一部断面構造を示す部分断面図である。
【図１０】変形例における微小表示部の一部断面構造を示す部分断面図である。
【図１１】変形例における微小表示部の一部断面構造を示す部分断面図である。
【図１２】変形例における微小表示部の一部断面構造を示す部分断面図である。
【図１３】変形例における誘電体層の一部斜視構造を示す部分斜視図である。
【図１４】変形例における誘電体層を上面視した構造を示す上面図である。
【図１５】変形例における微小表示部を拡大して示す図である。
【図１６】変形例における表示体の斜視構造を示す斜視図である。
【図１７】変形例における表示体の斜視構造を示す斜視図である。
【図１８】変形例における表示体の一部断面構造を示す部分断面図である。
【図１９】変形例における表示体の一部断面構造を示す部分断面図である。
【図２０】変形例における被認証体の平面構造を示す平面図である。
【発明を実施するための形態】
【００１１】
図１から図７を参照して、本開示の表示体、および、表示体の観察方法を具体化した１つの実施形態を説明する。以下では、表示体の全体構成、表示体の備える微小表示部の構成、表示要素の構成、微小表示部の作用、および、表示体の観察方法を順番に説明する。
【００１２】
［表示体の全体構成］
図１（ａ）および図１（ｂ）を参照して表示体の全体構成を説明する。なお、図１（ｂ）は、図１（ａ）において一点鎖線で示される円で囲まれた部分を拡大して示す図である。
【００１３】
図１（ａ）が示すように、表示体１０は、基材１１と、基材１１の１つの面に位置する表示部１２と、基材１１の１つの面に位置する複数の微小表示部とを備えている。基材１１は、例えば、矩形板形状を有しているが、表示部１２の位置することの可能な面積を有していれば、矩形板形状に限らず、円形板形状や直方体形状などの他の形状を有してもよい。
【００１４】
表示部１２は、第２表示部の一例であり、所定の情報である第２情報を表示する。表示部１２の表示する情報は、例えば画像であって、図１（ａ）が示すように、３つの円のうち、隣り合う２つの円が相互に連なる形状は、画像の一例である。なお、表示部１２の表示する情報としての画像は、絵柄や模様などの図形に限らず、文字、記号、および、数字であってもよく、図形、文字、記号、および、数字の少なくとも２つの組み合わせであってもよい。また、表示部１２の表示する情報は、画像に限らず、表示部１２の全体に占める特定の色の割合、表示部１２の配色、および、色の有無などの色情報であってもよいし、特定の色が配置される位置や、表示部１２における色の付された位置などの位置情報であってもよい。
【００１５】
図１（ｂ）が示すように、表示部１２は、表示部１２の一部として微小表示部１３の各々の全体を含んでいる。すなわち、表示部１２は、各微小表示部１３よりも大きく、複数の微小表示部１３を一部として含むことの可能な大きさを有している。
【００１６】
表示部１２は、例えば、回折格子構造による光の回折を用いて情報を表示する部分であってもよいし、基材１１の表面に形成された金属層が、例えばエッチング法などによって所定の形状に形成された部分であって、金属層における光の反射や拡散を用いて情報を表示する部分であってもよい。
【００１７】
微小表示部１３の各々は、第１表示部の一例であり、微小表示部１３は、表面プラズモンを励起して、微小表示部１３に照射される照射光を照射光とは異なる色の透過光に変えるプラズモン構造体を備えている。表示部１２の内部には、複数の微小表示部１３が位置している。なお、表示体１０は、複数の微小表示部１３ではなく、１つの微小表示部１３のみを備えてもよい。
【００１８】
微小表示部１３の各々は、上述した透過光によって、所定の情報であって表示部１２の表示する第２情報よりも表示サイズの小さい第１情報を表示する。すなわち、表示部１２の表示する第２情報の表示サイズは、微小表示部１３の表示する第１情報の表示サイズよりも大きく、表示部１２の大きさは、第２情報の表示サイズと同じであってもよいし、例えば、表示部１２が三次元画像を表示する場合には、第２情報の表示サイズよりも大きくてもよいし、小さくてもよい。微小表示部１３の大きさは、これもまた第１情報の表示サイズと同じであってもよいし、第１情報の表示サイズよりも大きくてもよいし、小さくてもよい。
【００１９】
第１情報は、例えば画像の一例である所定の文字列であり、図１（ｂ）が示すローマ字のＯとローマ字のＫとが連なる文字列は、第１情報の一例である。なお、微小表示部１３の表示する第１情報は、上述した第２情報と同様、画像であってもよいし、色情報であってもよいし、位置情報であってもよい。
【００２０】
各微小表示部１３において、微小表示部１３の全体が表示部１２の一部として含まれている。すなわち、微小表示部１３は、表示部１２よりも小さく、表示部１２の内部に含まれることの可能な大きさを有している。複数の微小表示部１３は、表示部１２の内部において、規則的に並んでいてもよいし、不規則に並んでいてもよい。
【００２１】
［微小表示部の構成］
図２を参照して微小表示部１３のより詳しい構成を説明する。
図２が示すように、微小表示部１３は、マトリクス状に並んだ複数の表示要素２１から構成されている。表示要素２１の各々は、例えば、表示部１２の内部に区画された矩形形状を有する領域である。表示要素２１は、矩形形状に限らず、例えば、三角形形状や五角形形状などの矩形以外の多角形形状を有した領域であってもよい。微小表示部１３の表示する第１情報は、複数の情報要素から構成され、微小表示部１３は、１つの情報要素ごとの表示要素２１から構成されている。
【００２２】
各表示要素２１における一辺の長さＬ１は、例えば、２００ｎｍ以上３０００ｎｍ以下である。各表示要素２１における一辺の長さＬ１が、２００ｎｍ以上３０００ｎｍ以下であるとき、各表示要素２１の大きさは、微小表示部１３が目視で視認されることが困難であり、かつ、微小表示部１３を光学顕微鏡において設定することが可能な倍率で観察することができる上で、好ましい大きさである。
【００２３】
複数の表示要素２１は、例えば、１つの方向である行方向Ｒに沿って並び、かつ、行方向Ｒに直交する列方向Ｃに沿って並んでいる。行方向Ｒにて並ぶ表示要素２１の数は、例えば、１０個以上１００個以下であり、かつ、列方向Ｃにて並ぶ表示要素２１の数は、例えば、１０個以上１００個以下である。この場合には、１つの微小表示部１３は、１００個以上１００００個以下の表示要素２１によって構成されている。
【００２４】
各表示要素２１における一辺の長さＬ１が上述した範囲に含まれるとき、１つの微小表示部１３を構成する表示要素２１の数が、１００個以上１００００個以下であれば、微小表示部１３の大きさは、以下の点で好ましい大きさである。すなわち、微小表示部１３の大きさは、目視での視認が困難であり、かつ、光学顕微鏡において設定することが可能な倍率で観察することができる上で好ましい大きさである。
【００２５】
各微小表示部１３の表示する第１情報は、第１の色を表現する第１情報要素と、第１の色とは相互に異なる色である第２の色を表現する第２情報要素とを複数の情報要素に含んでいる。微小表示部１３を構成する表示要素２１は、第１の色を表現する第１情報要素に対応する第１表示要素２２と、第２の色を表現する第２情報要素に対応する第２表示要素２３とを備えている。第１表示要素２２の含むプラズモン構造体と、第２表示要素２３の含むプラズモン構造体は、相互に異なる色の光を透過する。
【００２６】
各微小表示部１３のうち、例えば、複数の第１表示要素２２がローマ字のＯを表示し、第２表示要素２３がローマ字のＫを表示する。例えば、第１表示要素２２が、第１の色として赤色を表現する第１情報要素に対応するとき、微小表示部１３は、第１情報の一部として、赤色を有したローマ字のＯを表示する。一方で、第２表示要素２３が、第２の色として青色を表現する第２情報要素に対応するとき、微小表示部１３は、第１情報の一部として、青色を有したローマ字のＫを表示する。
【００２７】
各微小表示部１３は、さらに、第１表示要素２２と第２表示要素２３との間の部分、第１表示要素２２に囲まれる部分、あるいは、第２表示要素２３に囲まれる部分を含む複数の周囲要素２４を備えている。複数の周囲要素２４の各々は、微小表示部１３に照射された照射光を照射光の色を変えずに透過する部分であってもよいし、照射光を透過しない部分であってもよいし、第１表示要素２２および第２表示要素２３とは相互に異なる色の光を透過する部分であってもよい。なお、各微小表示部１３は、周囲要素２４を含んでいなくてもよい。
【００２８】
［表示要素の構成］
図３から図５を参照して表示要素２１の詳細な構成を説明する。以下では、表示要素２１のうち、第１表示要素２２および第２表示要素２３のように、プラズモン構造体を含む表示要素２１について説明する。
【００２９】
図３が示すように、表示要素２１は、金属層３１と、光を透過する誘電体層３２と、金属層３１と誘電体層３２との界面３３を含むプラズモン構造体と、を備えている。表示要素２１の備えるプラズモン構造体は、誘電体層３２と金属層３１との界面に照射される照射光によって界面３３に表面プラズモンを励起して、照射光を照射光とは異なる色の光に変える。
【００３０】
誘電体層３２は、例えば、１つの面であるベース面４１ａを有する基体４１を備え、基体４１は、ベース面４１ａから突き出た複数の凸部４２を有している。ベース面４１ａは、凸部４２が形成される形成面である。なお、誘電体層３２は、基体４１以外の層を含む多層構造を有してもよい。各凸部４２のうち、ベース面４１ａから離れた面が頂面４２ａであり、全ての凸部４２における頂面４２ａを含む面が、仮想平面４２ｂである。基体４１のベース面４１ａと、仮想平面４２ｂとは、相互にほぼ平行である。ベース面４１ａと仮想平面４２ｂとの間の距離Ｄは、例えば、３０ｎｍ以上５００ｎｍ以下であることが好ましい。
【００３１】
表示要素２１の備えるプラズモン構造体は、金属層３１と誘電体層３２との間の界面３３を少なくとも１つ備えていればよい。これにより、プラズモン構造体は、界面３３に照射された照射光により、界面３３に表面プラズモンを励起して、照射光を照射光とは異なる色を有した透過光に変えることができる。なお、１つの表示要素２１の備えるプラズモン構造体は、１つの表示要素２１が所定の色を有した透過光を透過する上で、２つ以上の凸部４２と、少なくとも各凸部４２の頂面４２ａを覆う金属層３１とを備える構成であることが好ましい。
【００３２】
各凸部４２は、例えば矩形柱形状を有しているが、三角柱形状や五角柱形状などの矩形柱形状以外の多角柱形状を有してもよいし、円柱形状や楕円柱形状を有してもよいし、円錐形状や多角錐形状などの錐体形状を有してもよい。なお、各凸部４２が多角形柱形状を有するとき、多角形柱形状における角部の各々が、曲率を有していてもよい。さらには、各凸部４２は、頂面４２ａとベース面４１ａとを繋ぐ側面に、複数の段差を有していてもよい。各凸部４２の側面が、仮想平面４２ｂとほぼ平行な面を含む段差面であって、かつ、各凸部４２における金属層３１の厚さＴの方向に沿う断面において、凸部４２の延びる方向と直交する方向の幅が、頂面４２ａからベース面４１ａに向けて段差ごとに大きくなる形状であってもよい。こうした構成では、側面における仮想平面４２ｂとほぼ平行な面の各々に金属層３１が位置してもよい。
【００３３】
誘電体層３２の形成材料は、例えば石英である。誘電体層３２の形成材料は、石英以外の可視光を透過する無機材料、例えば、酸化チタンやフッ化マグネシウムなどでもよいし、可視光を透過する有機材料、例えば、各種樹脂であってもよい。
【００３４】
誘電体層３２の形成材料が無機材料であるとき、基体４１と、基体４１の有する複数の凸部４２とを含む誘電体層３２は、例えば、各材料で形成された基材に化学的なエッチング処理や物理的なエッチング処理などが行われることにより形成される。誘電体層３２の形成材料が樹脂であるとき、基体４１と、基体４１の有する複数の凸部４２とを含む誘電体層３２は、例えば、樹脂から形成された層に対して原版が転写されることによって形成される。
【００３５】
誘電体層３２は、表示体１０における基材１１の一部を構成している。なお、基材１１の全体が、誘電体層３２と同じ形成材料で形成されていてもよいし、基材１１には、誘電体層３２と、誘電体層３２とは異なる形成材料で形成された部分が含まれてもよい。
【００３６】
金属層３１は、例えば、ベース面４１ａのうち、各凸部４２の形成されていない部分の全体と、各凸部４２の頂面４２ａとに形成されている。なお、金属層３１は、ベース面４１ａの一部に形成されてもよいし、各頂面４２ａの一部に形成されてもよいし、ベース面４１ａのみに形成されてもよいし、頂面４２ａのみに形成されていてもよい。これにより、誘電体層３２と金属層３１との界面３３が形成される。プラズモン構造体が界面３３の表面プラズモンによって所定の色を有する光を透過する上では、金属層３１の厚さＴは、例えば、２０ｎｍ以上１００ｎｍ以下であり、４０ｎｍ以上６０ｎｍ以下であることが好ましい。
【００３７】
金属層３１の形成材料は、例えばアルミニウムである。金属層３１の形成材料は、金、銀、あるいは、窒化チタンなどであってもよく、形成材料において、可視光領域における複素誘電率の実部が負の値であることが好ましい。金属層３１の形成材料がこうした特徴を有するとき、表面プラズモンの励起によって透過された光は、確実に可視光領域に含まれる。そのため、観察者は、表示体１０の表示する情報を確実に認識することができる。
【００３８】
金属層３１は、例えば、真空蒸着法やスパッタ法などの物理蒸着法によって形成される。金属層３１が真空蒸着法で形成されるとき、金属層３１の表面には、微小な凹凸構造が形成される。ただし、真空蒸着法によって形成される微小な凹凸構造は、金属層３１と誘電体層３２との界面３３に形成される表面プラズモンの状態に影響しない程度の大きさである。そのため、金属層３１は、真空蒸着法で形成される程度の凹凸構造、すなわち、表面荒れを有していてもよい。
【００３９】
図４が示すように、複数の凸部４２は、例えば、１つの方向であるＸ方向に沿って等しい間隔Ｇを空けて並び、かつ、Ｘ方向と直交する方向であるＹ方向に沿って同じく間隔Ｇを空けて並んでいる。すなわち、複数の凸部４２は、基体４１のベース面４１ａにおいて四方格子状に規則的に並んでいる。なお、先に説明した図３は、図４の３−３線に沿う断面構造を示している。
【００４０】
図５が示すように、複数の凸部４２において、Ｘ方向にて相互に隣り合う凸部４２の間の間隔Ｇと、Ｙ方向にて相互に隣り合う凸部の間の間隔Ｇとは相互に等しい。誘電体層３２の基体４１、すなわちベース面４１ａと対向する平面視において、各凸部４２の一辺の長さＬ２は、例えば、間隔Ｇと相互に等しく、間隔Ｇと長さＬ２との和が１つの周期Ｐであるとき、周期Ｐは、例えば１００ｎｍ以上６００ｎｍ以下であることが好ましい。なお、周期Ｐは、ベース面４１ａと対向する平面視において、相互に隣り合う凸部４２における凸部４２の中心の間の距離、すなわち中心間距離である。
【００４１】
一方で、複数の凸部４２において、Ｘ方向と交差する方向にて相互に隣り合う凸部４２の間の距離は周期Ｐよりも大きい。そのため、四方格子状に並ぶ複数の凸部４２には、相互に隣り合う凸部４２の間の距離が周期Ｐである部分と、相互に隣り合う凸部４２の間の距離が周期Ｐよりも大きい部分とが含まれる。それゆえに、四方格子状に並ぶ複数の凸部４２を備える表示要素２１では、２つの凸部４２の間の距離が周期Ｐである部分における界面３３にて形成される表面プラズモンの状態と、２つの凸部４２の間の距離が周期Ｐよりも大きい部分における界面３３にて形成される表面プラズモンの状態とが相互に異なる。
【００４２】
なお、誘電体層３２の形成材料が同一であり、かつ、周期Ｐが同一である前提では、周期Ｐに対する凸部４２の一辺の長さＬ２の割合であるフィルファクタが変わることにより、プラズモン構造体の透過する光の色が変わる。
【００４３】
［微小表示部の作用］
上述したように、各微小表示部１３は、第１表示要素２２と第２表示要素２３とを備え、第１表示要素２２と第２表示要素２３との各々は、金属層３１と誘電体層３２との界面３３を含み、界面３３に励起される表面プラズモンによって、照射光とは異なる色の光を透過するプラズモン構造体を備えている。
【００４４】
ここで、各第１表示要素２２および各第２表示要素２３の透過する光の色は、プラズモン構造体において形成される表面プラズモンの状態によって決まる。そして、２つの界面３３の間において、以下の条件のうちの少なくとも１つが相互に異なることによって、２つの界面３３に形成される表面プラズモンの状態は、相互に異なる。すなわち、２つの界面３３の間において、誘電体層３２における周期Ｐ、誘電体層３２のベース面４１ａと仮想平面４２ｂとの間の距離Ｄ、ベース面４１ａにおける複数の凸部４２の配列状態、金属層３１の厚さＴ、および、金属層３１の形成材料の少なくとも１つが異なることによって、２つの界面３３の間で表面プラズモンの状態が相互に異なる。
【００４５】
そのため、第１表示要素２２の含むプラズモン構造体と、第２表示要素２３の含むプラズモン構造体との間では、上述した条件のうちの少なくとも１つが相互に異なる。これにより、第１表示要素２２と、第２表示要素２３との間で励起される表面プラズモンの状態が異なり、結果として、第１表示要素２２が透過する光の色と、第２表示要素２３が透過する光の色とが相互に異なる。
【００４６】
このように、各微小表示部１３は、表面プラズモンの励起によって生じる所定の色を有した光によって、第１情報を表示する。そのため、表示部１２に含まれる微小表示部１３は、所定の色を有する透過光によって第１情報を表示するため、表示体１０の観察者は、所定の色を有した光と、それ以外の部分との差異によって、第１情報を把握することができる。それゆえに、第１情報である部分と、それ以外の部分との差異が認識されやすくなる。結果として、観察者が情報を誤認識することが抑えられる。
【００４７】
また、第１表示要素２２と第２表示要素２３とが相互に同じ色の光を透過する構成と比べて、表示体１０が、より複雑な情報を表示することができる。
［表示体の観察方法］
図６および図７を参照して表示体１０の観察方法を説明する。
【００４８】
図６が示すように、表示体１０の観察方法は、照射工程（ステップＳ１１）と、観察工程（Ｓ１２）とを備えている。照射工程では、表示体１０のうち、微小表示部１３の備える誘電体層３２と金属層３１との界面に照射光を照射する。観察工程では、照射光の照射されている表示体１０を拡大して観察する。なお、表示体１０の観察は、人間による目視によって行われてもよいし、表示体１０の透過光を検出することのできる機器によって行われてもよい。
【００４９】
図７が示すように、上述した表示体１０は、被認証体５０に付されている。なお、被認証体５０に付された表示体１０が観察されるとき、表示体１０には、例えば、表示体１０の有する誘電体層３２から金属層３１に向けて光が照射される。これにより、誘電体層３２と金属層３１との界面３３に光が照射される。この場合には、被認証体５０は、被認証体５０を通して表示体１０に光を到達させることの可能な基材などである。あるいは、表示体１０は、被認証体５０に付される際に、光が直に照射される状態で付されてもよい。なお、表示体１０には、表示体１０の有する金属層３１から誘電体層３２に向けた光が照射されることによって、誘電体層３２と金属層３１との界面３３に光が照射されてもよい。この場合であっても、誘電体層３２から金属層３１に向けて光が照射されるときと同等の効果が得られる。
【００５０】
以下では、表示体１０のうち、各表示要素２１における金属層３１の露出する面が表面であり、表示体１０において、各表示要素２１の金属層３１の露出する面とは反対側の面であって、かつ、誘電体層３２が露出する面が裏面である。
【００５１】
照射工程において、例えば、照射光ＩＬとして白色光を放出する光源ＬＳが、表示体１０の裏面に照射光ＩＬを照射する。このとき、観察者ＯＢが目視によって表示体１０を観察している状態では、観察者ＯＢは、表示体１０の表示する情報のうち、表示部１２の表示する第２情報のみを観察することができる。一方で、観察者ＯＢが光学顕微鏡ＬＭを介して表示体１０を観察している状態では、観察者ＯＢは、表示体１０の表示する情報のうち、微小表示部１３の表示する第１情報を照射光ＩＬとは異なる色の透過光ＴＬとして観察することができる。
【００５２】
このように、表示体１０は、観察者ＯＢに対して、表示体１０を拡大する倍率における２つの段階の各々にて、相互に異なる情報を提供することができる。そのため、観察者ＯＢは、例えば、表示体１０が微小表示部１３を有するか否か、あるいは、微小表示部１３の表示する画像、色情報、あるいは、位置情報が正しいか否かを判断することによって、被認証体５０の真偽を判断することができる。
【００５３】
以上説明したように、上述した実施形態によれば、以下に列挙する効果を得ることができる。
（１）微小表示部１３は、所定の色を有する透過光によって第１情報を表示するため、表示体１０の観察者ＯＢは、所定の色を有した光と、それ以外の部分との差異によって、第１情報を把握することができる。それゆえに、第１情報である部分と、それ以外の部分との差異が認識されやすくなる。結果として、観察者ＯＢが情報を誤認識することが抑えられる。
【００５４】
（２）複数の表示要素２１の中に、相互に異なる色を有した透過光ＴＬを透過する表示要素２１が含まれるため、表示体１０が１つの色のみを透過する構成と比べて、表示要素間での差異が、表示体１０の観察者ＯＢに伝わりやすくなる。
【００５５】
（３）行方向Ｒに並ぶ表示要素２１の数、および、列方向Ｃに並ぶ表示要素２１の数の各々が、１０個以上１００個以下である。そのため、第１情報が、目視による視認のほぼ不可能な大きさであり、かつ、光学顕微鏡によって拡大されることで視認が可能な大きさである。
【００５６】
なお、上述した実施形態は、以下のように適宜変更して実施することもできる。
［金属層の構成］
図８から図１２を参照して金属層３１の変形例を説明する。
【００５７】
・図８が示すように、金属層３１は、ベース面４１ａに位置するベース面金属層６１と、頂面４２ａに位置する頂面金属層６２とを備え、ベース面金属層６１の厚さがベース面厚さＴ１であり、頂面金属層６２の厚さが頂面厚さＴ２である。金属層３１が上述した物理蒸着法、例えば真空蒸着法によって形成されるとき、金属層３１を構成する粒子は、ベース面４１ａよりも各凸部４２の頂面４２ａに到達しやすい。そのため、通常、頂面厚さＴ２は、ベース面厚さＴ１以上の大きさである。
【００５８】
頂面金属層６２は、基体４１と対向する平面視にて、頂面４２ａの形状に沿って位置する平坦部６２ａと、平坦部６２ａの周囲に設けられ、平坦部６２ａから外側に向けて突き出るように湾曲する曲面周面部６２ｂとを備えている。すなわち、曲面周面部６２ｂは、平坦部６２ａの外側に向けて突き出た曲面形状を有している。曲面周面部６２ｂにおける曲率半径は、好ましくは（Ｔ２／２）以上（４×Ｔ２）以下であり、より好ましくは（Ｔ２／２）以上（２×Ｔ２）以下である。
【００５９】
ベース面金属層６１のうち、Ｙ方向にて隣り合う凸部４２に挟まれる部分は、２つの凸部４２の間におけるほぼ中央がベース面４１ａから離れる方向に突き出た曲面によって構成されている。また、ベース面金属層６１のうち、Ｘ方向にて隣り合う凸部４２に挟まれる部分は、２つの凸部４２の間におけるほぼ中央が、ベース面４１ａから離れる方向に突き出た曲面によって構成されている。これらの部分における曲率半径は、好ましくは（Ｔ１／２）以上（４×Ｔ１）以下であり、より好ましくは（Ｔ１／２）以上（２×Ｔ１）以下である。
【００６０】
なお、ベース面金属層６１のうち、Ｘ方向およびＹ方向の両方にて２つの凸部４２によって挟まれない部分は、ベース面４１ａに到達する金属層３１の形成粒子の飛行角度が制限されないため、ほぼ平坦な面によって構成されている。
【００６１】
ベース面金属層６１および頂面金属層６２の各々が曲面を有する構成によれば、以下の効果を得ることができる。
（４）真空蒸着法やスパッタ法といった物理蒸着法による金属層３１の形成が容易である。
【００６２】
・図９が示すように、各凸部４２の頂面４２ａに形成された頂面金属層６２のうち、平坦部６２ａは、基体４１と対向する平面視にて、頂面４２ａの一部に位置していてもよい。
【００６３】
・図１０が示すように、各凸部４２は、頂面４２ａとベース面４１ａとを繋ぐ側面４２ｃを備え、金属層３１は側面４２ｃに位置してもよい。金属層３１のうち、側面４２ｃに位置する部分は、側面金属層６３であり、側面金属層６３の厚さは側面厚さＴ３である。側面厚さＴ３は、ベース面厚さＴ１よりも小さく、かつ、頂面厚さＴ２よりも小さい。
【００６４】
なお、金属層３１が上述した物理蒸着法で形成されるとき、各凸部４２の頂面４２ａ、および、基体４１のベース面４１ａのうち、凸部４２が形成されていない部分と比べて、各凸部４２の側面４２ｃには、金属層３１を形成するための粒子が到達しにくい。そのため、物理蒸着法によれば、側面厚さＴ３が、ベース面厚さＴ１および頂面厚さＴ２の各々よりも小さい金属層３１が形成されやすい。
【００６５】
また、側面金属層６３は、図１０が示すように、各凸部４２の側面４２ｃの全体に形成されていなくともよく、少なくとも一部に形成されていてもよい。さらには、側面金属層６３は、複数の凸部４２の全てに形成されていなくともよく、複数の凸部４２の一部に形成されていてもよい。
【００６６】
こうした構成によれば、以下の効果を得ることができる。
（５）金属層３１がベース面４１ａと頂面４２ａとのみを覆う構成と比べて、微小表示部１３にて励起される表面プラズモンの状態が変わる。それゆえに、微小表示部１３は、金属層３１がベース面４１ａと頂面４２ａとのみを覆う構成にて透過される光とは相互に異なる色を有した光を透過することが可能になる。
【００６７】
（６）金属層３１における側面厚さＴ３が、頂面厚さＴ２およびベース面厚さＴ１の各々よりも小さいため、側面厚さＴ３が、頂面厚さＴ２、および、ベース面厚さＴ１の各々以上である構成と比べて、微小表示部１３の透過率が高まる。
【００６８】
・図１０において、誘電体層３２から金属層３１に向けて照射された光が、微小表示部１３の外側に透過すれば、側面厚さＴ３は、頂面厚さＴ２およびベース面厚さＴ１の各々以上の厚さであってもよい。
【００６９】
・図１１が示すように、金属層３１が側面金属層６３を備えるとき、頂面金属層６２が図８の示す構成と同様であり、ベース面金属層６１が図８の示す構成と同様であってもよい。このとき、側面金属層６３の側面厚さＴ３は、例えば、頂面４２ａに近いほど小さく、かつ、ベース面４１ａに近いほど大きい構成であってもよい。なお、側面金属層６３の厚さは、側面金属層６３の全体においてほぼ等しくてもよい。
【００７０】
・図１２が示すように、金属層３１が側面金属層６３を備えるとき、頂面金属層６２が図９の示す構成と同様であり、ベース面金属層６１が図９の示す構成と同様であってもよい。このとき、側面金属層６３の側面厚さＴ３は、例えば、頂面４２ａに近いほど小さく、かつ、ベース面４１ａに近いほど大きい構成であってもよい。なお、側面金属層６３の厚さは、側面金属層６３の全体においてほぼ等しくてもよい。
【００７１】
［誘電体層の構成］
図１３および図１４を参照して誘電体層３２の変形例を説明する。
・誘電体層３２の備える複数の凸部４２は、四方格子状に並んでいなくともよい。
【００７２】
例えば、図１３が示すように、複数の凸部４２は、六方格子状に並んでいてもよい。図１４が示すように、複数の凸部４２が六方格子状に並んでいるとき、１つの凸部４２と、１つの凸部４２の周囲に位置する６つの凸部４２の各々との間の距離は相互に等しい。すなわち、複数の凸部４２の全てが、相互に隣り合う凸部４２と、等しい間隔である周期Ｐだけ離れた状態で並んでいる。
【００７３】
このように、複数の凸部４２が六方格子状に並ぶとき、全ての凸部４２が等しい間隔を空けて並ぶため、金属層３１と誘電体層３２との界面３３に形成される表面プラズモンの状態が、相互にほぼ等しくなる。そのため、複数の凸部４２が四方格子状に並ぶ構成と比べて、各表示要素２１の透過光が有する色の調節が行いやすくなる。
【００７４】
・誘電体層３２の備える複数の凸部４２は、四方格子状や六方格子状に限らず、三方格子状に並んでいてもよい。
［微小表示部の構成］
図１５を参照して微小表示部１３の変形例を説明する。
【００７５】
・微小表示部１３の備える第１表示要素２２が、透過光の色が相互に異なる２つ以上のプラズモン構造体を含んでもよく、また、第２表示要素２３が、透過光の色が相互に異なる２つ以上のプラズモン構造体を含んでもよい。
【００７６】
すなわち、図１５が示すように、第１表示要素２２は、２つの第１部分７１と２つの第２部分７２とを備え、各第１部分７１と各第２部分７２とは、相互に異なる色の光を透過するプラズモン構造体によって構成されている。複数の第１表示要素２２において、第１部分７１と第２部分７２とは、例えば、列方向Ｃにて交互に並び、かつ、行方向Ｒにて交互に並んでいる。
【００７７】
こうした第１表示要素２２によれば、第１表示要素２２の透過する光は、複数の第１部分７１の各々が透過する光の色と、複数の第２部分７２の各々が透過する光の色との混色を有する。そのため、微小表示部１３の表示することの可能な色の数を増やすことができる。
【００７８】
なお、第１表示要素２２において、第１部分７１と第２部分７２とは、列方向Ｃや行方向Ｒにて交互に並んでいなくともよく、第１表示要素２２の備える第１部分７１の数と、第２部分７２の数とは、相互に異なってもよい。ただし、第１表示要素２２において、第１部分７１と第２部分７２とが、列方向Ｃおよび行方向Ｒの各々において交互に並び、かつ、第１表示要素２２の備える第１部分７１の数と第２部分７２の数とが相互に同じ構成であれば、第１表示要素２２において色の偏りがなくなる。そのため、第１表示要素２２は、１つの色を表示する表示要素２１として認識されやすくなる。
【００７９】
一方で、第２表示要素２３は、複数の第１部分７３と複数の第２部分７４とを備え、各第１部分７３と各第２部分７４とは、相互に異なる色の光を透過する。なお、第２表示要素２３における第１部分７３は、第１表示要素２２の備える第１部分７１あるいは第２部分７２のいずれかと同じ色を有する光を透過するプラズモン構造体を含んでもよい。また、第２表示要素２３における第２部分７４は、第１表示要素２２の備える第１部分７１あるいは第２部分７２のいずれかと同じ色を有する光を透過するプラズモン構造体を含んでもよい。
【００８０】
第２表示要素２３において、第１表示要素２２と同様、第１部分７３と第２部分７４とは、例えば、列方向Ｃにて交互に並び、かつ、行方向Ｒにて交互に並んでいる。なお、第２表示要素２３においても、第１部分７３と第２部分７４とは、列方向Ｃや行方向Ｒにて交互に並んでいなくともよい。
【００８１】
なお、第１表示要素２２および第２表示要素２３の各々が、混色を有する光を透過する構成では、第１表示要素２２が、プラズモン構造体の集合としての第１部分７１や第２部分７２を含むよりも、第１表示要素２２の内部に、相互に異なる色を透過するプラズモン構造体が、混在していることが好ましい。また、こうした構成は、第２表示要素２３においても同様に好ましい。これにより、各表示要素の表示する色の偏りがより抑えられる。
【００８２】
こうした構成によれば、以下の効果を得ることができる。
（７）１つの表示要素２１が、透過光の色が相互に異なる複数のプラズモン構造体を含むため、１つの表示要素２１は、複数の色の混色を有する光を透過することができる。それゆえに、微小表示部１３の表示することの可能な色の数を増やすことができる。
【００８３】
［他の変形例］
・表示部１２の大きさは、表示部１２の表示する第２情報の表示サイズが目視で認識できる大きさでなくてもよい。表示部１２は、少なくとも１つの微小表示部１３を含むことができる大きさであれば、光学顕微鏡で観察できる程度の大きさであってもよい。
【００８４】
・表示要素２１は、白色光を透過する構成でもよい。こうした構成では、表示要素２１において、例えば、複数の凸部４２における周期Ｐを不規則にすること、複数の凸部４２の各々における高さを不均一にすることなどにより、プラズモン構造体の最小単位にて形成される表面プラズモンの各々の状態が相互に異なることにより、表示要素２１が白色光を透過する。なお、複数の凸部４２における周期Ｐが不規則である、すなわち、複数の凸部４２が不規則に並ぶ構成では、表示要素２１の内部に、相互に異なる状態の表面プラズモンが励起されやすい。そのため、表示要素２１を透過する光は、相互に異なる波長を有する複数の光が混合された光になる。
【００８５】
・照射工程にて照射される光は、白色光でなくともよい。こうした構成であっても、微小表示部１３の備えるプラズモン構造体が色を変えることのできる光が照射光に含まれていれば、上述した（１）に準じた効果を得ることはできる。
【００８６】
・１つの微小表示部１３を構成する表示要素２１において、行方向Ｒに並ぶ表示要素２１の数、および、列方向Ｃに並ぶ表示要素２１の数は、１０個未満であってもよいし、１００個よりも多くてもよい。こうした構成であっても、１つの微小表示部１３の大きさが、表示部１２の一部として表示部１２に含まれる大きさであればよい。また、微小表示部１３がプラズモン構造体を含む以上は、上述した（１）に準じた効果を得ることはできる。
【００８７】
・表示要素２１における一辺の長さＬ１は、２００ｎｍよりも小さくてもよいし、３０００ｎｍよりも大きくてもよい。こうした構成であっても、微小表示部１３の大きさが表示部１２の一部として表示部１２に含まれる大きさであればよい。
【００８８】
・微小表示部１３を構成する複数の表示要素２１の全てが、相互に等しい色の光を透過してもよい。こうした構成であっても、各表示要素２１がプラズモン構造体を含む以上は、上述した（１）に準じた効果を得ることはできる。
【００８９】
・基体４１のベース面４１ａにおいて、複数の凸部４２が形成される周期Ｐは、１００ｎｍよりも小さくてもよいし、６００ｎｍよりも大きくてもよい。こうした構成であっても、金属層３１と誘電体層３２との間の界面３３に表面プラズモンが励起されて、照射光が、照射光とは異なる色の透過光に変えられる構成であればよい。
【００９０】
・金属層３１の形成材料において、可視光領域における複素誘電率の実部が０以上であってもよい。こうした構成であっても、微小表示部１３が、金属層３１と誘電体層３２との界面３３を含むプラズモン構造体を備えていれば、プラズモン構造体を可視光領域に含まれるいずれかの波長の光を透過する構造体として具体化することは可能である。
【００９１】
・金属層３１の厚さは、２０ｎｍよりも小さくてもよいし、１００ｎｍよりも大きくてもよい。こうした構成であっても微小表示部１３が、金属層３１と誘電体層３２との界面３３を含むプラズモン構造体を含んでいれば、プラズモン構造体に励起された表面プラズモンによって、照射光が照射光とは異なる色の透過光に変えられる。
【００９２】
・誘電体層３２において、ベース面４１ａと仮想平面４２ｂとの間の距離は、３０ｎｍよりも小さくてもよいし、５００ｎｍよりも大きくてもよい。こうした構成であっても、微小表示部１３が、金属層３１と誘電体層３２との界面３３を含むプラズモン構造体を含んでいれば、プラズモン構造体に励起された表面プラズモンによって、照射光が照射光とは異なる色の透過光に変えられる。
【００９３】
・誘電体層３２において、基体４１のベース面４１ａと、複数の凸部４２の各々における頂面４２ａの含まれる仮想平面４２ｂとは、相互にほぼ平行でなくともよく、例えば、所定の角度で交差していてもよい。こうした構成であっても、微小表示部１３が、金属層３１と誘電体層３２との界面３３を含むプラズモン構造体を含んでいれば、プラズモン構造体に励起された表面プラズモンによって、照射光が照射光とは異なる色の透過光に変えられる。
【００９４】
［印刷層］
・図１６から図１９を参照して以下に説明するように、表示体１０は印刷層を備えてもよい。
【００９５】
図１６が示すように、表示体１０は印刷層８１を備え、印刷層８１は、複数の波線形状を有する印刷部分８２から構成され、複数の印刷部分８２は、基材１１において、１つの方向に沿って所定の間隔を空けて並んでいる。
【００９６】
表示部１２と対向する方向から見て、複数の印刷部分８２の一部は、表示部１２と重ならない一方で、複数の印刷部分８２における他の一部は、表示部１２と重なっている。また、表示部１２と対向する方向から見て、表示部１２と重なる印刷部分８２の少なくとも一部は、微小表示部１３の少なくとも１つと重なっている。なお、各印刷部分８２は、表示部１２と対向する方向から見て、表示部１２と重なる一方で、微小表示部１３とは重ならない位置に配置されてもよい。
【００９７】
印刷層８１は、複数の波線形状から形成される１つの柄であって、彩紋柄の一例を形成しているが、複数の円弧形状から形成される彩紋柄や、複数の円形状から形成される彩紋柄を形成してもよい。また、印刷層８１は、波線形状、円弧形状、および、円形状のうちの２つ以上の形状を組み合わせた彩紋柄を形成してもよい。あるいは、印刷層８１は、波線形状、円弧形状、および、円形状以外の幾何学的な形状から形成される柄を形成してもよい。すなわち、印刷層８１の表示する情報としての画像は、所定の絵柄であればよい。
【００９８】
また、図１７が示すように、表示体１０の備える印刷層９１は、上述した所定の絵柄ではなく、カード番号、および、ロット番号などの個別情報であって、文字および数字の少なくとも一方を含む情報を形成してもよい。すなわち、印刷層９１の表示する情報としての画像は、所定の文字および数字の少なくとも一方を含んでいればよい。
【００９９】
印刷層９１は、複数の印刷部分９２から構成され、複数の印刷部分９２は、基材１１において所定の方向に沿って並んでいる。各印刷部分９２は、例えば、１つの数字を表し、複数の印刷部分９２は、基材１１における一端からの距離が小さい印刷部分９２から順に、数字の「１」、数字の「２」、数字の「３」をそれぞれ表している。
【０１００】
表示部１２と対向する方向から見て、各印刷部分９２の一部が、表示部１２と重なっている。また、表示部１２と対向する方向から見て、表示部１２と重なる印刷部分９２の少なくとも一部は、微小表示部１３の少なくとも１つと重なっている。なお、各印刷部分９２は、表示部１２と対向する方向から見て、表示部１２と重なる一方で、微小表示部１３とは重ならない位置に配置されてもよい。
【０１０１】
なお、印刷層８１，９１が表示する情報としての画像は、上述した絵柄、文字、および、数字に限らず、図形および記号であってもよく、絵柄、文字、数字、図形、および、記号のうちの少なくとも２つの組み合わせであってもよい。
【０１０２】
次に、図１８および図１９を参照して、表示体１０の断面構造を説明する。なお、図１６を参照して説明された表示体１０と、図１７を参照して説明された表示体１０とは、印刷層の表示する画像が相互に異なるものの、２つの表示体１０の間では、表示体１０のうちで、印刷層の配置される部位は共通している。そのため、以下では、図１６を参照して説明された表示体１０の断面構造を説明し、図１７を参照して説明された表示体１０の断面構造の説明を省略する。
【０１０３】
また、以下では、表示部１２が基材１１の上に形成された金属層によって形成されている例を説明する。
図１８が示すように、基材１１は、微小表示部１３の備える誘電体層３２を含み、基材１１の備える面のうち、誘電体層３２のベース面４１ａを含む面が表面１１ａであり、基材１１のうちで表面１１ａとは反対側の面が裏面１１ｂである。
【０１０４】
基材１１の表面１１ａには、金属層から形成される表示部１２が配置され、表示部１２は、微小表示部１３の備える金属層３１と共通する金属層から形成されてもよいし、微小表示部１３の備える金属層３１とは異なる金属層から形成されてもよい。
【０１０５】
基材１１の裏面１１ｂには、印刷層８１を構成する複数の印刷部分８２が形成されている。印刷部分８２は、例えば、所定の染料や顔料などを含むインキなどによって形成された部分であり、各種の印刷方法、例えば、グラビア印刷法、オフセット印刷法、および、スクリーン印刷法などによって形成された部分である。
【０１０６】
なお、印刷層８１は、基材１１の裏面１１ｂ以外の部分に形成されていてもよい。すなわち、図１９が示すように、基材１１の表面１１ａには、表示部１２と微小表示部１３とを覆う透明樹脂層１０１が形成されている。透明樹脂層１０１は、光を透過することが可能な樹脂によって形成された層である。透明樹脂層１０１のうち、基材１１の表面１１ａに接する面とは反対側の面が表面１０１ａであり、表面１０１ａには、複数の印刷部分８２が形成されている。
【０１０７】
透明樹脂層１０１は、表示体１０を被認証体などの物品に貼り付けるための粘着性を有した層であってもよいし、粘着性を有した層は、透明樹脂層１０１とは別に、透明樹脂層１０１の表面１０１ａ、あるいは、基材１１の裏面１１ｂに形成されてもよい。
【０１０８】
また、表示体１０が透明樹脂層１０１を備える構成では、印刷層８１は、透明樹脂層１０１の表面１０１ａと、基材１１の裏面１１ｂとの両方に形成されてもよい。
表示体１０が上述した印刷層８１を備える構成であって、印刷層８１が基材１１の裏面１１ｂに配置された構成では、表示体１０が、基材１１の裏面１１ｂ側から視認されるとき、表示部１２の一部、すなわち、表示部１２の表示する第２情報の一部を印刷層８１によって観察者に対して隠蔽することができる。
【０１０９】
また、表示体１０において、印刷層８１が透明樹脂層１０１の表面１０１ａに配置された構成では、表示体１０が、透明樹脂層１０１の表面１０１ａ側から視認されるとき、表示部１２の一部、すなわち、表示部１２の表示する第２情報の一部を印刷層８１によって観察者に対して隠蔽することができる。
【０１１０】
これにより、観察者が表示体１０と正対するとき、すなわち、表示部１２と対向する方向から見て、印刷層８１の表示する情報が視認される。一方で、観察者が表示体１０を斜視の方向から観察するとき、表示部１２のうち、表示部１２と対向する方向から見て、印刷層８１と重なる部分が視認される。
【０１１１】
このように、印刷層８１を備える表示体１０によれば、観察者が表示体１０を観察する角度を変えることにより、印刷層８１が表示する情報と、第２情報のうちで、印刷層８１によって隠蔽された部分とを個別に観察することが可能である。そして、印刷層８１は、上述のようにインキで形成された層である一方で、表示部１２は、金属層で形成された層であることから、印刷層８１が表示部１２とは異なる光学的な効果を有するため、第２情報が認識されやすい。
【０１１２】
また、上述したように、表示部１２と対向する方向から見て、印刷層８１と表示部１２とが相互に離れて位置する構成、すなわち、印刷層８１が、表示部１２と表示部１２の表示する第２情報を隠蔽しない構成とすることも可能である。
【０１１３】
こうした構成によれば、印刷層８１と表示部１２とを組み合わせることによって、印刷層８１のみ、あるいは、表示部１２のみによって得られる光学的な効果とは異なる光学的効果を有した文字、記号、図形、または、絵柄などを形成することができる。
【０１１４】
また、観察者が表示体１０を観察する角度を変えることにより、印刷層８１が表示する情報と、表示部１２の表示する第２情報とを個別に観察することも可能である。そして、印刷層８１が表示部１２とは異なる光学的な効果を有するため、第２情報が認識されやすい。
【０１１５】
さらに、印刷層８１が、表示部１２と対向する方向から見て、少なくとも１つの微小表示部１３、すなわち、少なくとも１つの第１情報を隠蔽している。こうした構成によれば、印刷層８１によって第１情報が表示される領域を制限することができ、結果として、第１情報が配置された位置をわかりにくくすることができる。
【０１１６】
また、上述したように、表示部１２と対向する方向から見て、印刷層８１と表示部１２とが相互に離れて位置する構成、すなわち、印刷層８１が微小表示部１３の表示する第１情報を隠蔽しない構成とすることも可能である。
【０１１７】
こうした構成によれば、表示体１０の観察者は、第２情報を観察するとき、第２情報と、印刷層８１の表示する情報とに注目するため、第２情報と、印刷層８１の表示する情報以外の情報を表示体１０が表示可能であることに気付きにくい。それゆえに、表示体１０において、第１情報をより気付かれにくくすることが可能である。
【０１１８】
加えて、第１情報が観察されるときには、表示体１０のうち、微小表示部１３以外の部分における透過光の光量が印刷層８１によって低められるため、第１情報と第１情報の周囲とのコントラストが高くなり、結果として、第１情報がより認識されやすくなる。こうした効果は、印刷層８１が、基材１１の裏面１１ｂに形成される構成、および、透明樹脂層１０１の表面１０１ａに形成される構成のいずれにおいても得ることが可能である。また、この効果は、表示体１０が基材１１の表面１１ａ側から視認される場合、および、裏面１１ｂ側から視認される場合の両方において得ることが可能である。
【０１１９】
なお、図１９に示される印刷層９１を備える表示体１０によっても、印刷層８１によって得られる効果と同等の効果を得ることができる。
・図２０が示すように、表示体１０が、上述した彩紋柄などの幾何学的な形状から構成される柄を表示する印刷層８１を備える構成では、表示体１０の付される被認証体５０は、印刷層５１を備えてもよい。印刷層５１は複数の印刷部分５２から構成され、表示部１２と対向する方向から見て、各印刷部分５２は、表示体１０に形成された複数の印刷部分８２のうちの１つと繋がっている。すなわち、表示体１０の備える印刷層８１と、被認証体５０の備える印刷層５１とが１つの彩紋柄を表示している。
【図１】
2015147283.tif 000003
【図２】
2015147283.tif 000004
【図３】
2015147283.tif 000005
【図４】
2015147283.tif 000006
【図５】
2015147283.tif 000007
【図６】
2015147283.tif 000008
【図７】
2015147283.tif 000009
【図８】
2015147283.tif 000010
【図９】
2015147283.tif 000011
【図１０】
2015147283.tif 000012
【図１１】
2015147283.tif 000013
【図１２】
2015147283.tif 000014
【図１３】
2015147283.tif 000015
【図１４】
2015147283.tif 000016
【図１５】
2015147283.tif 000017
【図１６】
2015147283.tif 000018
【図１７】
2015147283.tif 000019
【図１８】
2015147283.tif 000020
【図１９】
2015147283.tif 000021
【図２０】
2015147283.tif 000022
【国際調査報告】
2015147283.tif 000023
2015147283.tif 000024
2015147283.tif 000025
2015147283.tif 000026